(57)【要約】【課題】著作権の保護が求められるコンテンツの転送機能を低コストで実現する電子機器を提供する。【解決手段】実施形態によれば、電子機器は、第１の符号化手段と、第２の符号化手段と、多重化手段と、コンテンツ転送手段と、を具備する。第１の符号化手段は、ディスプレイに表示される映像データを符号化する。暗号化手段は、前記符号化された前記映像データを暗号化する。第２の符号化手段は、スピーカに出力される音声データを符号化する。多重化手段は、前記暗号化された前記映像データと、前記符号化された前記音声データと、前記映像データの著作権保護有無に関する情報に前記音声データの著作権保護有無に関する情報を含めた通知情報とを含む多重化データを生成する。コンテンツ転送手段は、前記生成された前記多重化データを、暗号化された伝送路に無線通信により送出する。【選択図】図１
2014022946.tif 000002
【特許請求の範囲】
【請求項１】
映像と音声とを含むコンテンツを記憶する記憶メディアから前記コンテンツを読み出すためのメディアドライブと、
前記メディアドライブにより読み出されたコンテンツを再生する再生手段と、
前記再生手段により生成された映像信号と音声信号とを符号化する符号化手段と、
前記符号化手段により符号化された映像信号と音声信号とを多重化する多重化手段と、
前記多重化手段により生成された多重化データを伝送路に送出する転送手段と、
を具備し、
前記多重化手段は、前記映像信号の著作権保護に適用される第１の著作権保護方式で規定される著作権保護有無を示す情報を、前記映像信号の著作権保護有無と第２の著作権保護方式が適用される前記音声信号の著作権保護有無とを示す情報として前記多重化データに含める手段を有する、
電子機器。
【請求項２】
映像と音声とを含むテレビジョン放送番組データを受信するための受信手段と、
前記受信手段により受信されたテレビジョン放送番組データを再生する再生手段と、
前記再生手段により生成された映像信号と音声信号とを符号化する符号化手段と、
前記符号化手段により符号化された映像信号と音声信号とを多重化する多重化手段と、
前記多重化手段により生成された多重化データを伝送路に送出する転送手段と、
を具備し、
前記多重化手段は、前記映像信号の著作権保護に適用される第１の著作権保護方式で規定される著作権保護有無を示す情報を、前記映像信号の著作権保護有無と第２の著作権保護方式が適用される前記音声信号の著作権保護有無とを示す情報として前記多重化データに含める手段を有する、
電子機器。
【請求項３】
映像と音声とを含むコンテンツをネットワークを介して接続されるサーバから取得するための通信装置と、
前記通信装置により取得されたコンテンツを再生する再生手段と、
前記再生手段により生成された映像信号と音声信号とを符号化する符号化手段と、
前記符号化手段により符号化された映像信号と音声信号とを多重化する多重化手段と、
前記多重化手段により生成された多重化データを伝送路に送出する転送手段と、
を具備し、
前記多重化手段は、前記映像信号の著作権保護に適用される第１の著作権保護方式で規定される著作権保護有無を示す情報を、前記映像信号の著作権保護有無と第２の著作権保護方式が適用される前記音声信号の著作権保護有無とを示す情報として前記多重化データに含める手段を有する、
電子機器。
【請求項４】
ゲーム用のプログラムを実行するためのプロセッサと、
前記プロセッサが前記プログラムを実行して生成した映像信号と音声信号とを符号化する符号化手段と、
前記符号化手段により符号化された映像信号と音声信号とを多重化する多重化手段と、
前記多重化手段により生成された多重化データを伝送路に送出する転送手段と、
を具備し、
前記多重化手段は、前記映像信号の著作権保護に適用される第１の著作権保護方式で規定される著作権保護有無を示す情報を、前記映像信号の著作権保護有無と第２の著作権保護方式が適用される前記音声信号の著作権保護有無とを示す情報として前記多重化データに含める手段を有する、
電子機器。
【請求項５】
映像信号と音声信号とを入力するための入力端子と、
前記入力端子から入力された映像信号と音声信号とを符号化する符号化手段と、
前記符号化手段により生成された映像信号と音声信号とを多重化する多重化手段と、
前記多重化手段により生成された多重化データを伝送路に送出する転送手段と、
を具備し、
前記多重化手段は、前記映像信号の著作権保護に適用される第１の著作権保護方式で規定される著作権保護有無を示す情報を、前記映像信号の著作権保護有無と第２の著作権保護方式が適用される前記音声信号の著作権保護有無とを示す情報として前記多重化データに含める手段を有する、
電子機器。
【請求項６】
前記入力端子は、ＨＤＭＩ（high-definition multimedia interface）ケーブルを接続するための端子である請求項５に記載の電子機器。
【請求項７】
前記第１の著作権保護方式は、ＨＤＣＰ（high-bandwidth digital content protection system）２．０または前記ＨＤＣＰ２．０の後継規格であり、前記第２の著作権保護方式は、ＳＣＭＳ（serial copy management system）である請求項１、２、３、４、５または６に記載の電子機器。
【発明の詳細な説明】
【技術分野】
【０００１】
本発明の実施形態は、著作権の保護が求められるコンテンツの映像および音声を伝送路に送出する電子機器に関する。
【背景技術】
【０００２】
近年、パーソナルコンピュータやスマートフォン等、デジタル化された映像や音声を取扱い可能な電子機器が広く普及している。この種の電子機器は、一般的に、通信機能を搭載しており、映像や音声を含め、各種情報を他の電子機器との間で送受信することが可能である。
【０００３】
また、映像と音声とを含むいわゆるＡＶコンテンツの中には、複製が制限される等、著作権の保護が求められるものも少なくない。そのために、著作権保護を図りつつ、ＡＶコンテンツの映像や音声を電子機器間で送受信するための仕組みがこれまでも種々提案されている。
【先行技術文献】
【特許文献】
【０００４】
【特許文献１】特開２００９−７１７８６号公報
【発明の概要】
【発明が解決しようとする課題】
【０００５】
映像の著作権を保護するための方式として、例えば、ＨＤＣＰ（High-bandwidth digital content protection system）が知られている。また、音声の著作権を保護するための方式として、例えば、ＳＣＭＳ（Serial copy management system）が知られている。ＨＤＣＰは、著作権保護対象データの暗号化を伴う方式であり、ＳＣＭＳは、著作権保護対象データの暗号化を伴わない方式である。よって、１つのＡＶコンテンツに含まれる映像と音声との間において、著作権の保護という目的は共通するものの、一方は暗号化が要求されるのに対し、他方は暗号化までは要求されない等、著作権の保護として求められる対策の程度が異なる場合も考えられる。
【０００６】
ところで、これまで、あるＡＶコンテンツの映像と音声とを伝送路に送出する際に適用される著作権保護方式は１つであって、１つのＡＶコンテンツに対して複数の著作権保護方式を適用することは全く考慮されていない。そのために、例えば、映像に対して要求される暗号化を、暗号化までは要求されない音声に対しても実施する必要があった。しかしながら、そうすると、ＨＤＣＰ２．０のように映像と音声を別々に暗号化が必要な形態においては、ＡＶコンテンツの映像および音声を送信する側と受信する側との双方の電子機器において、（本来ならば必要のない）音声を暗号化・復号するためのモジュールを搭載するといった無用なコストアップを招いてしまう。
【０００７】
本発明は、著作権の保護が求められるコンテンツの映像および音声の転送機能を低コストで実現する電子機器を提供することを目的とする。
【課題を解決するための手段】
【０００８】
実施形態によれば、電子機器は、メディアドライブ、再生手段、符号化手段、多重化手段および転送手段を具備する。メディアドライブは、映像と音声とを含むコンテンツを記憶する記憶メディアから前記コンテンツを読み出す。再生手段は、前記メディアドライブにより読み出されたコンテンツを再生する。符号化手段は、前記再生手段により生成された映像信号と音声信号とを符号化する。多重化手段は、前記符号化手段により符号化された映像信号と音声信号とを多重化する。転送手段は、前記多重化手段により生成された多重化データを伝送路に送出する。多重化手段は、前記映像信号の著作権保護に適用される第１の著作権保護方式で規定される著作権保護有無を示す情報を、前記映像信号の著作権保護有無と第２の著作権保護方式が適用される前記音声信号の著作権保護有無とを示す情報として前記多重化データに含める手段を有する。
【図面の簡単な説明】
【０００９】
【図１】第１実施形態の電子機器（コンテンツ送信器）が適用される著作権保護コンテンツ転送システムの一構成例を示す図。
【図２】第１実施形態の電子機器（コンテンツ送信器）のシステム構成を示す図。
【図３】第１実施形態の電子機器（コンテンツ送信器）上で動作するコンテンツ転送プログラムの機能ブロックを示す図。
【図４】第１実施形態の電子機器（コンテンツ送信器）の動作手順を示すフローチャート。
【図５】第１実施形態の電子機器（コンテンツ送信器）が実行する映像のエンコード処理の手順を示すフローチャート。
【図６】第１実施形態の電子機器（コンテンツ送信器）が実行する音声のエンコード処理の手順を示すフローチャート。
【図７】第１実施形態の電子機器（コンテンツ送信器）から映像信号および音声信号を受信する他の電子機器（コンテンツ受信器）の動作手順を示すフローチャート。
【図８】第１実施形態の電子機器（コンテンツ送信器）から映像信号および音声信号を受信する他の電子機器（コンテンツ受信器）が実行する映像のデコード処理の手順を示すフローチャート。
【図９】第１実施形態の電子機器（コンテンツ送信器）から映像信号および音声信号を受信する他の電子機器（コンテンツ受信器）が実行する音声のデコード処理の手順を示すフローチャート。
【図１０】第２実施形態の電子機器（コンテンツ送信器）が適用される著作権保護コンテンツ転送システムの一構成例を示す図。
【図１１】第２実施形態の電子機器（コンテンツ送信器）のシステム構成を示す図。
【図１２】第３実施形態の電子機器（コンテンツ送信器）が適用される著作権保護コンテンツ転送システムの一構成例を示す図。
【図１３】第４実施形態の電子機器（コンテンツ送信器）が適用される著作権保護コンテンツ転送システムの一構成例を示す図。
【図１４】第５実施形態の電子機器（コンテンツ送信器）が適用される著作権保護コンテンツ転送システムの一構成例を示す図。
【発明を実施するための形態】
【００１０】
以下、実施の形態について図面を参照して説明する。
【００１１】
（第１実施形態）
まず、第１実施形態について説明する。
【００１２】
図１は、本実施形態の電子機器（コンテンツ送信器１）が適用される著作権保護コンテンツ転送システムの一構成例を示す図である。
【００１３】
図１に示すように、本実施形態に係る著作権保護コンテンツ転送システムは、（本実施形態の電子機器である）コンテンツ送信器１と、コンテンツ受信器２および音声再生器３とから構成される。コンテンツ送信器１とコンテンツ受信器２との間は、例えばIEEE802.11規格の無線ＬＡＮ（Wi-Fi）によって接続され、また、コンテンツ受信器２と音声再生器３との間は、例えばＳ／ＰＤＩＦによって接続されている。
【００１４】
コンテンツ送信器１は、例えばBlu-ray（登録商標）ディスクドライブを搭載したＰＣ（Personal computer）であり、Blu-ray（登録商標）ディスクやＤＶＤから読み出したコンテンツを再生し、再生処理によって得られた映像信号と音声信号とをエンコードした後、Wi-Fi経由でコンテンツ受信器２へ送信する。
【００１５】
コンテンツ受信器２は、例えばテレビジョン受像機であり、コンテンツ送信器１から受信した（エンコードされた）映像信号および音声信号をデコードし、映像を画面に表示する。音声については、このデコード後、コンテンツ受信器２に内蔵されたスピーカまたはＳ／ＰＤＩＦ経由で音声再生器３から出力する。
【００１６】
コンテンツ送信器１とコンテンツ受信器２との間で転送される映像信号および音声信号のデータフォーマットは、例えばＭＰＥＧ２−ＴＳ形式であり、転送プロトコルは、例えばＲＴＰ（Real-time transport protocol）である。そして、本実施形態の電子機器であるコンテンツ送信器１は、映像信号と音声信号とをコンテンツ受信器２に送信するにあたり、映像ＥＳを保護するための著作権保護方式（第１の著作権保護方式）として、例えばＨＤＣＰ２．０または当該ＨＤＣＰ２．０の後継規格を適用し、一方、音声ＥＳを保護するための著作権保護方式（第２の著作権保護方式）として、例えばＳＣＭＳを適用する。即ち、本実施形態の電子機器であるコンテンツ送信器１は、１つのコンテンツに含まれる映像と音声とを１つの伝送路に送出するにあたって、互いに異なる複数の著作権保護方式を適用する。
【００１７】
また、（本実施形態の電子機器であるコンテンツ送信器１が適用される）本実施形態に係る著作権保護コンテンツ転送システムでは、映像ＥＳの保護に適用するＨＤＣＰ２．０で規定される著作権保護有無を示す情報（後述するregistration_descriptor）を、映像ＥＳのみならず、ＳＣＭＳを適用する音声ＥＳの著作権保護有無を示す情報としても利用する。即ち、本実施形態に係る著作権保護コンテンツ転送システムは、１つのコンテンツに含まれる映像と音声とを１つの伝送路で転送する際に、互いに異なる複数の著作権保護方式を適用するにあたって、一方の著作権保護方式で規定される著作権保護有無を示す情報を、他方の著作権保護方式を適用する著作権保護対象物の著作権保護有無を示す情報としても利用するという効率化も図る。以下、これらの点について詳述する。
【００１８】
図２は、コンテンツ送信器１のシステム構成を示す図である。
【００１９】
図２に示すように、コンテンツ送信器１は、プロセッサ１１、メインメモリ１２、Ｉ／Ｏコントローラ１３、ＬＣＤ１４、スピーカ１５、ＢＩＯＳ−ＲＯＭ１６、ＨＤＤ１７、ＯＤＤ（Optical disc drive）１８、ＬＡＮコネクタ１９、無線通信モジュール２０、ＵＳＢコネクタ２１、ＥＣ（Embedded controller）／ＫＢＣ２２、ＰＳＣ（Power supply controller）２３、ＨＤＭＩ（High-definition multimedia interface）通信モジュール２４等を有している。
【００２０】
プロセッサ１１は、コンテンツ送信器１の動作を制御する中枢モジュールであり、ＨＤＤ１７やＯＤＤ１８からメインメモリ１２に各種プログラムをロードして実行することにより、コンテンツ送信器１を様々に動作させる。このプロセッサ１１によって実行される各種プログラムの中には、リソース管理を司るオペレーティングシステム（ＯＳ）や、当該ＯＳの配下で動作する各種アプリケーションプログラムが存在する。また、この各種アプリケーションプログラムの１つとして、後述するコンテンツ転送プログラム１００が存在する。
【００２１】
プロセッサ１１は、ＢＩＯＳ−ＲＯＭ１６に格納されたＢＩＯＳも実行する。ＢＩＯＳは、ハードウェア制御のためのプログラムである。また、プロセッサ１１は、メインメモリ１２をアクセス制御するためのメモリコントローラ１１Ａと、各種プログラムがＬＣＤ１４に表示しようとする画像を描画するためのＧＰＵ１１Ｂとを内蔵する。
【００２２】
Ｉ／Ｏコントローラ１３は、例えばＨＤＤ１７やＯＤＤ１８等のコンテンツ送信器１内の各種デバイスの制御と、例えばＬＡＮコネクタ１９、無線通信モジュール２０、ＵＳＢコネクタ２１等を介してコンテンツ送信器１と接続される外部デバイス等との通信とを司るモジュールである。そのために、Ｉ／Ｏコントローラ１３は、ＨＤＤ１７およびＯＤＤ１８を制御するためのＩＤＥコントローラ１３Ａ、例えばIEEE 802.3規格に準拠した通信を制御するためのＬＡＮコントローラ１３Ｂ、例えばIEEE 802.11規格に準拠した無線通信を制御するための無線ＬＡＮコントローラ１３Ｃ、例えばUSB 2.0規格に準拠した通信を制御するためのＵＳＢコントローラ１３Ｄ等を内蔵する。また、Ｉ／Ｏコントローラ１３は、各種プログラムがスピーカ１５から出力しようとする音声を合成する音源デバイスであるサウンドコントローラ１３Ｅを内蔵する。
【００２３】
ＥＣ／ＫＢＣ２２は、ＰＳＣ２３と協働して電力管理を行うためのエンベデッドコントローラと、キーボード２２Ａおよびポインティングデバイス２２Ｂの操作を受け付けるキーボードコントローラとが集積された１チップＭＰＵである。ＰＳＣ２３は、ＥＣ／ＫＢＣ２２からの指示に基づき、バッテリや外部電源からの電力をコンテンツ送信器１内の各部に供給する。ＰＳＣ２３は、外部電源からの電力を使ってバッテリを充電する機能を有している。
【００２４】
ＨＤＭＩ通信モジュール２４は、ＨＤＭＩケーブルを介して映像信号と音声信号とを送信／受信するモジュールであり、送信用モジュールと受信用モジュールとを夫々有する。ここでＨＤＭＩ通信モジュール２４は、映像・音声信号を送信する場合、これらの信号をＨＤＣＰ１．４に沿って暗号化することにより著作権保護し、当該暗号化信号をＨＤＭＩケーブルを介して送信する。またＨＤＭＩ通信モジュール２４は、ＨＤＣＰ１．４に沿って暗号化された映像・音声信号を受信した場合、これらの信号を復号する。
【００２５】
以上のようなシステム構成を持つコンテンツ送信器１上で動作するコンテンツ転送プログラム１００は、ＯＤＤ１８にセットされた例えばBlu-ray（登録商標）ディスクからコンテンツを読み出して再生し、再生処理によって得られた映像信号と音声信号とを無線通信モジュール２０を介してコンテンツ受信器２に送信するためのプログラムである。このコンテンツ転送プログラム１００によって、ユーザは、例えば、コンテンツ送信器１のＯＤＤ１８にセットされた例えばBlu-ray（登録商標）ディスク内のコンテンツの映像と音声とを、コンテンツ受信器２と音声再生器３とを使って、大画面かつ高画質、高音質で楽しむことができる。図３は、コンテンツ転送プログラム１００の機能ブロックを示す図である。
【００２６】
図３に示すように、コンテンツ転送プログラム１００は、コンテンツ読込み部１１０、コンテンツ再生部１２０、コンテンツエンコード部１３０、暗号化モジュール１４０、多重化モジュール１５０、コンテンツ転送部１６０を有している。
【００２７】
コンテンツ読込み部１１０は、例えばBlu-ray（登録商標）ディスクに記憶されたコンテンツをＯＤＤ１８経由で読み込む。コンテンツ読込み部１１０は、読み込んだコンテンツをコンテンツ再生部１２０に引き渡す。
【００２８】
コンテンツ再生部１２０は、映像デコーダ１２１と音声デコーダ１２２との２つのソフトウェアデコーダを有しており、コンテンツ読込み部１１０から受け取ったコンテンツに含まれる映像用のデータと音声用のデータとを、映像デコーダ１２１と音声デコーダ１２２とによってそれぞれデコードする。映像デコーダ１２１が生成する映像信号は、（ＧＰＵ１１Ｂ経由で）ＬＣＤ１４で表示可能な信号であり、音声デコーダ１２２が生成する音声信号は、（サウンドコントローラ１３Ｅ経由で）スピーカ１５から出力可能な信号である。コンテンツ再生部１２０は、この映像信号と音声信号とをコンテンツエンコード部１３０に引き渡す。
【００２９】
コンテンツエンコード部１３０は、映像エンコーダ１３１と音声エンコーダ１３２との２つのソフトウェアエンコーダを有しており、コンテンツ再生部１２０から受け取った映像信号と音声信号とを、映像エンコーダ１３１と音声エンコーダ１３２とによってそれぞれエンコードする。このコンテンツエンコード部１３０による映像信号および音声信号の再符号化は、Wi-Fi経由でコンテンツ受信器２へ送信するために実行するものである。
【００３０】
前述したように、コンテンツ送信器１は、映像ＥＳを保護するための著作権保護方式として、例えばＨＤＣＰ２．０または当該ＨＤＣＰ２．０の後継規格を適用し、一方、音声ＥＳを保護するための著作権保護方式として、例えばＳＣＭＳを適用する。ＨＤＣＰは、著作権保護対象データの暗号化を伴う方式であり、ＳＣＭＳは、著作権保護対象データの暗号化を伴わない方式である。そこで、コンテンツエンコード部１３０は、再符号化した映像信号および音声信号のうち、映像信号のみを暗号化モジュール１４０に引き渡し、音声信号は多重化モジュール１５０に直接的に引き渡す。
【００３１】
暗号化モジュール１４０は、コンテンツエンコード部１３０から受け取った映像信号を暗号化し、暗号化した映像信号を多重化モジュール１５０に引き渡す。なお、暗号化モジュール１４０は、コンテンツエンコード部１３０から受け取った映像信号が著作権保護不要な場合に、この映像信号に対して暗号化を施すことなく、そのまま多重化モジュール１５０に引き渡すスルー機能も有している。
【００３２】
多重化モジュール１５０は、暗号化モジュール１４０から受け取った映像信号とコンテンツエンコード部１３０から受け取った音声信号との多重化を実行する。暗号化モジュール１４０からの多重化モジュール１５０への映像信号の引き渡しと、コンテンツエンコード部１３０からの多重化モジュール１５０への音声信号の引き渡しとは、例えばタイムスタンプ情報等に基づき同期を取って実行される。また、多重化モジュール１５０は、映像ＥＳの保護に適用するＨＤＣＰ２．０で規定される著作権保護有無を示す情報を、映像ＥＳおよび（ＳＣＭＳを適用する）音声ＥＳ双方の著作権保護有無を示す情報として多重化データに含める機能を有している。
【００３３】
多重化モジュール１５０によって生成された多重化データは、コンテンツ転送部１６０に引き渡される。コンテンツ転送部１６０は、多重化モジュール１５０から受け取った多重化データを、コンテンツ受信器２宛てに無線通信モジュール２０から無線通信路（伝送路）上に送出する。
【００３４】
このように、コンテンツ送信器１は、ＯＤＤ１８経由で読み込んだコンテンツを再生して得た映像信号および音声信号をコンテンツ受信器２に送信するにあたって、映像信号および音声信号のそれぞれで異なる著作権保護方式を適用する。これにより、（暗号化までは要求されていない）音声信号を暗号化するための暗号化モジュールを不要とすることができる。また、コンテンツ送信器１は、映像信号に適用される著作権保護方式で規定される著作権保護有無を示す情報を、異なる著作権保護方式が適用される音声信号の著作権保護有無を示す情報としても利用するという効率化も図る。
【００３５】
図４は、コンテンツ送信器１の動作手順を示すフローチャートである。
【００３６】
ユーザ操作によりコンテンツ転送プログラム１００が起動されると、コンテンツ送信器１は、Wi-Fi経由でコンテンツ受信器２との接続を試みる。コンテンツ受信器２との接続が確立されると（ブロックＡ１）、コンテンツ送信器１は、ＨＤＣＰ２．０に従った認証および鍵交換の処理をコンテンツ受信器２との間で実行する（ブロックＡ２）。これにより、著作権の保護が求められる映像信号（映像ＥＳ）を転送する際の暗号鍵およびイニシャルベクタ（ＩＶ）の一部rivが決定される。
【００３７】
コンテンツ送信器１は、ＯＤＤ１８にセットされた例えばBlu-ray（登録商標）ディスクからのコンテンツの読み出しを開始し（ブロックＡ３）、映像ＥＳ、音声ＥＳのＰＩＤを記述したＰＭＴ（Program map table)を生成する（ブロックＡ４）。また、コンテンツ送信器１は、例えばBlu-ray（登録商標）ディスクに埋め込まれた著作権保護情報に基づき、このコンテンツの著作権保護有無を判定する（ブロックＡ５）。著作権保護の求められるコンテンツであった場合（ブロックＡ５のＹＥＳ）、コンテンツ送信器１は、（コンテンツ転送プログラム１００がメインメモリ１２上に内部的に設ける）ＣＰ（Copy protection）フラグをオンにし（ブロックＡ６）、ＨＤＣＰ２．０で規定されるregistration_descriptorをＰＭＴに挿入する（ブロックＡ７）。
【００３８】
コンテンツ送信器１は、例えばBlu-ray（登録商標）ディスクから読み出したコンテンツを再生し（ブロックＡ８）、かつ、再生処理によって得られた映像信号および音声信号のエンコード（再符号化）を実行する（ブロックＡ９）。映像信号のエンコード処理および音声信号のエンコード処理の詳細については、図５および図６を用いて後述する。
【００３９】
コンテンツ送信器１は、後述する映像エンコードにより生成される映像ＰＥＳおよび音声エンコードにより生成される音声ＰＥＳを多重化して、ＭＰＥＧ２−ＴＳ形式の送信データを生成する（ブロックＡ１０）。コンテンツ送信器１は、例えば一定期間毎に、この映像ＰＥＳと音声ＰＥＳとの多重化時において、ブロックＡ４で生成したＰＭＴを含むＭＰＥＧ２−ＴＳパケットを（ＭＰＥＧ２−ＴＳ形式の）送信データに挿入する。
【００４０】
コンテンツ送信器１は、このように生成された送信データをＲＴＰによりコンテンツ受信器２に送信する（ブロックＡ１１）。コンテンツ送信器１は、コンテンツが再生されている間（ブロックＡ１２のＮＯ）、ブロックＡ８〜ブロックＡ１１の処理を繰り返し、コンテンツの再生が終了したら（ブロックＡ１２のＹＥＳ）、以上の処理を終了する。
【００４１】
図５は、映像のエンコード処理の手順を示すフローチャートである。
【００４２】
コンテンツ送信器１は、まず、例えばBlu-ray（登録商標）ディスクから読み出したコンテンツの再生処理によって得られた映像信号を、Ｈ．２６４等のコーデックに従ってＰＥＳ形式でエンコードする（ブロックＢ１）。
【００４３】
コンテンツ送信器１は、ＣＰフラグがオンであれば（ブロックＢ２のＹＥＳ）、イニシャルベクタの一部であるＨＤＣＰ２．０で規定されるinputCtr,streamCtrを決定し、同じくＨＤＣＰ２．０で規定されるPES_private_dataを生成する（ブロックＢ３）。コンテンツ送信器１は、決定したinputCtr,streamCtrと、鍵交換処理により生成された暗号鍵およびイニシャルベクタの一部rivとを組み合わせて、暗号鍵とイニシャルベクタとを設定する（ブロックＢ４）。コンテンツ送信器１は、ＰＥＳペイロードをＨＤＣＰ２．０で採用されるＡＥＳ−ＣＴＲ方式により暗号化し（ブロックＢ５）、生成したPES_private_dataをＰＥＳヘッダへ挿入する（ブロックＢ６）。ＣＰフラグがオフの場合（ブロックＢ２のＮＯ）、上記ブロックＢ３〜ブロックＢ６の処理はスキップされる。そして、コンテンツ送信器１は、生成した映像ＰＥＳをＭＵＸへ出力する（ブロックＢ７）。コンテンツ送信器１は、コンテンツが再生されている間、上記の動作を繰り返す。
【００４４】
図６は、音声のエンコード処理の手順を示すフローチャートである。
【００４５】
コンテンツ送信器１は、まず、例えばBlu-ray（登録商標）ディスクから読み出したコンテンツの再生処理によって得られた音声信号を、ＡＡＣ等のコーデックに従ってＰＥＳ形式でエンコードする（ブロックＣ１）。コンテンツ送信器１は、生成した音声ＰＥＳをＭＵＸへ出力する（ブロックＣ２）。コンテンツ送信器１は、コンテンツが再生されている間、上記の動作を繰り返す。
【００４６】
なお、上記手順では、音声ＰＥＳとしては暗号化されないが、Wi-Fi接続時にＷＰＡ方式等で接続すると、伝送路上が暗号化されて送信データが転送される。即ち、音声ＥＳを含むＭＰＥＧ２−ＴＳ形式の送信データ全体が暗号化される。
【００４７】
次に、図７を参照して、本実施形態の電子機器であるコンテンツ送信器１から映像信号および音声信号を受信するコンテンツ受信器２の動作手順を説明する。
【００４８】
例えばユーザ操作によりコンテンツ転送モードへの切替えが行われると、コンテンツ受信器２は、コンテンツ送信器１からのWi-Fi経由の接続を待つ。コンテンツ送信器１から接続要求を受け、コンテンツ送信器１との接続が確立されると（ブロックＤ１）、コンテンツ受信器２は、コンテンツ送信器１との間で、ＨＤＣＰ２．０に従った認証および鍵交換の処理を実行する（ブロックＤ２）。これにより、著作権保護つきコンテンツを転送する際の映像ＥＳ用の復号鍵およびイニシャルベクタの一部rivが決定される。
【００４９】
コンテンツ受信器２は、コンテンツ送信器１からの転送された送信データをＲＴＰにより受信し（ブロックＤ３）、ＰＭＴを解析する（ブロックＤ４）。ＰＭＴ内にregistration_descriptorが含まれていたならば（ブロックＤ５のＹＥＳ）、コンテンツ受信器２は、ＣＰフラグをＯＮにセットし（ブロックＤ６）、一方、含まれていなければ（ブロックＤ５のＮＯ）、ＣＰフラグをＯＦＦにセットする（ブロックＤ７）。
【００５０】
コンテンツ受信器２は、ＰＭＴを解析して得られたストリーム情報を使って、ＭＰＥＧ２−ＴＳパケットをフィルタリングし、送信データから映像ＥＳ、音声ＥＳをＤＥＭＵＸ（分離）する（ブロックＤ８）。コンテンツ受信器２は、分離した映像信号と音声信号のデコードを実行する（ブロックＤ９）。映像信号のデコード処理および音声信号のデコード処理の詳細については、図８および図９を用いて後述する。コンテンツ受信器２は、コンテンツ送信器１からの送信データが受信されている間、上記の動作を繰り返す。
【００５１】
図８は、映像のデコード処理の手順を示すフローチャートである。
【００５２】
ＤＥＭＵＸにより映像ＥＳが入力されると（ブロックＥ１）、コンテンツ受信器２は、ＰＥＳヘッダを解析する（ブロックＥ２）。ＣＰフラグがＯＮで、かつ、PES_private_dataが含まれている場合（ブロックＥ３のＹＥＳ）、コンテンツ受信器２は、PES_private_dataを取得し（ブロックＥ４）、鍵交換処理により生成された映像ＥＳ用の復号鍵およびイニシャルベクタの一部rivを組み合わせて、復号鍵とイニシャルベクタとを設定する（ブロックＥ５）。そして、コンテンツ受信器２は、暗号化されたＰＥＳペイロードをＡＥＳ−ＣＴＲ方式により復号する（ブロックＥ６）。
【００５３】
続いて、コンテンツ受信器２は、ＰＥＳ形式のコンテンツデータをデコードし（ブロックＥ７）、ディスプレイ等へ映像を出力する（ブロックＥ８）。コンテンツ受信器２は、コンテンツ送信器１からの送信データが受信されている間、上記の動作を繰り返す。
【００５４】
図９は、音声のデコード処理の手順を示すフローチャートである。
【００５５】
ＤＥＭＵＸにより音声ＥＳが入力されると（ブロックＦ１）、コンテンツ受信器２は、ＣＰフラグがＯＮの場合には（ブロックＦ２のＹＥＳ）、ＳＣＭＳのコピー制御情報として「コピー禁止」を設定し（ブロックＦ３）、一方、ＣＰフラグがＯＦＦ場合には（ブロックＦ２のＮＯ）、ＳＣＭＳのコピー制御情報として「コピー可」を設定する（ブロックＦ４）。このように、本実施形態の電子機器であるコンテンツ送信器１から映像信号および音声信号を受信するコンテンツ受信器２は、映像の著作権保護に適用する第１の著作権保護方式であるＨＤＣＰ２．０で規定される（映像の著作権保護有無を通知するための）registration_descriptorに基づき、第２の著作権保護方式であるＳＣＭＳが適用される音声の著作権保護有無をも併せて判定する。
【００５６】
続いて、コンテンツ受信器２は、ＰＥＳ形式のコンテンツデータをデコードし（ブロックＦ５）、設定したコピー制御情報と共に音声再生器３へ出力する（ブロックＦ６）。コンテンツ受信器２は、コンテンツ送信器１からの送信データが受信されている間、上記の動作を繰り返す。
【００５７】
なお、音声再生器３は、コンテンツ受信器２から受信した音声データをスピーカ等へ出力し、また、コンテンツ受信器２から受信したコピー制御情報に従って、音声のコピー制御を行う。
【００５８】
このように、（本実施形態の電子機器であるコンテンツ送信器１が適用される）本実施形態に係る著作権保護コンテンツ転送システムは、１つのコンテンツに含まれる映像と音声とを１つの伝送路に送出するにあたって、互いに異なる複数の著作権保護方式を適用する。上記の説明で例示したように、映像の著作権保護にＨＤＣＰ２．０を適用し、音声の著作権保護にＳＣＭＳを適用した場合、コンテンツ送信器１側では、映像の暗号化が要求される条件下において、音声を暗号化・復号するためのモジュールを不要とすることができる。同様に、コンテンツ受信器２側でも、音声を暗号化・復号するためのモジュールを不要とすることができる。よって、本実施形態に係る著作権保護コンテンツ転送システムは、著作権の保護が求められるコンテンツの映像および音声の転送機能を低コストで実現する。
【００５９】
また、本実施形態に係る著作権保護コンテンツ転送システムでは、１つのコンテンツに含まれる映像と音声とを１つの伝送路で転送する際に、互いに異なる複数の著作権保護方式を適用するにあたって、一方の著作権保護方式で規定される著作権保護有無を示す情報を、他方の著作権保護方式を適用する著作権保護対象物の著作権保護有無を示す情報としても利用するという効率化も図られる。
【００６０】
（第２実施形態）
次に、第２実施形態について説明する。
【００６１】
図１０は、本実施形態の電子機器（コンテンツ送信器１）が適用される著作権保護コンテンツ転送システムの一構成例を示す図である。
【００６２】
本実施形態の電子機器であるコンテンツ送信器１は、テレビ局４から放送されるテレビジョン放送番組を視聴、録画、再生するテレビジョン機能を搭載したＰＣである。前述した第１実施形態のコンテンツ送信器１は、例えばBlu-ray（登録商標）ディスクから読み出したコンテンツを再生し、再生処理によって得られた映像信号と音声信号とを（映像信号と音声信号とで異なる著作権保護方式を適用し、かつ、一方の著作権保護方式で規定される著作権保護有無を示す情報を、他方の著作権保護方式を適用する著作権保護対象物の著作権保護有無を示す情報としても利用しつつ）コンテンツ受信器２に送信した。これに対して、本実施形態のコンテンツ送信器１は、受信したテレビジョン放送番組データを再生し、再生処理によって得られた映像信号と音声信号とを（映像信号と音声信号とで異なる著作権保護方式を適用し、かつ、一方の著作権保護方式で規定される著作権保護有無を示す情報を、他方の著作権保護方式を適用する著作権保護対象物の著作権保護有無を示す情報としても利用しつつ）コンテンツ受信器２に送信する。
【００６３】
図１１は、（本実施形態の）コンテンツ送信器１のシステム構成を示す図である。
【００６４】
前述した第１実施形態のコンテンツ送信器１のシステム構成（図２参照）との違いを説明すると、図１１に示すように、本実施形態のコンテンツ送信器１は、まず、ＴＶチューナ２５およびＴＶコネクタ２５Ａを有している。ＴＶコネクタ２５Ａは、例えばテレビアンテナを接続するためのＦ型コネクタであり、ＴＶチューナ２５は、ユーザが所望するチャンネルで放送されるテレビジョン放送番組データを選択して受信するための同調装置である。
【００６５】
また、本実施形態のコンテンツ送信器１は、各種アプリケーションプログラムの１つとして、テレビジョン機能を提供するためのＴＶプログラム２００が存在し、このＴＶプログラム２００の１モジュールとして、コンテンツ転送プログラム１００が設けられる。
【００６６】
コンテンツ転送プログラム１００は、例えば、ＴＶプログラム２００によってＨＤＤ１７に記録（録画）されたテレビジョン放送番組データを再生し、再生処理によって得られた映像信号と音声信号とをコンテンツ受信器２に送信する。このコンテンツ転送プログラム１００によって、ユーザは、例えば、コンテンツ送信器１で録画したテレビジョン放送番組データ（コンテンツ）の映像と音声とを、コンテンツ受信器２を使って、大画面かつ高画質で楽しむことができる。
【００６７】
そして、前述の第１実施形態と同様、映像の著作権保護にＨＤＣＰ２．０を適用し、音声の著作権保護にＳＣＭＳを適用することにより、コンテンツ送信器１側およびコンテンツ受信器２側の双方で、音声を暗号化・復号するためのモジュールを不要とし、著作権の保護が求められるテレビジョン放送番組データ（コンテンツ）の映像および音声の転送機能を低コストで実現する。
【００６８】
さらに、前述の第１実施形態と同様、ＨＤＣＰ２．０で規定されるregistration_descriptorを、ＳＣＭＳを適用する音声の著作権保護有無を示す情報としても利用するという効率化も図られる。
【００６９】
（第３実施形態）
次に、第３実施形態について説明する。
【００７０】
図１２は、本実施形態の電子機器（コンテンツ送信器１）が適用される著作権保護コンテンツ転送システムの一構成例を示す図である。
【００７１】
前述した第１実施形態および第２実施形態においては、コンテンツ送信器１がＰＣとして実現されている例を示した。しかしながら、前述したコンテンツの映像および音声を送信する仕組みは、ＰＣに限定されるものではなく、様々な装置に適用可能である。換言すれば、コンテンツ送信器１は、様々な装置として実現可能である。そこで、本実施形態においては、ＶＯＤ（Video on demand）機能を搭載したスマートフォンとしてコンテンツ送信器１が実現される例を説明する。
【００７２】
図１２に示すように、本実施形態のコンテンツ送信器１は、コンテンツサーバ５からＣＤＮ（Contents delivery network）６を介してコンテンツの提供を受ける。コンテンツ送信器１は、このコンテンツを再生し、再生処理によって得られた映像信号と音声信号とをコンテンツ受信器２に送信する。つまり、ユーザは、（スマートフォンである）コンテンツ送信器１によってコンテンツサーバ５から取得したコンテンツの映像と音声とを、コンテンツ受信器２と音声再生器３とを使って、大画面かつ高画質、高音質で楽しむことができる。
【００７３】
この（スマートフォンである）コンテンツ送信器１において、前述の第１実施形態および第２実施形態と同様、映像の著作権保護にＨＤＣＰ２．０を適用し、音声の著作権保護にＳＣＭＳを適用する。これにより、コンテンツ送信器１側およびコンテンツ受信器２側の双方で音声を暗号化・復号するためのモジュールを不要とし、著作権の保護が求められるコンテンツの映像および音声の転送機能を低コストで実現する。
【００７４】
さらに、この（スマートフォンである）コンテンツ送信器１においても、前述の第１実施形態および第２実施形態と同様、ＨＤＣＰ２．０で規定されるregistration_descriptorを、ＳＣＭＳを適用する音声の著作権保護有無を示す情報としても利用する。これにより、効率化も図られることになる。
【００７５】
（第４実施形態）
次に、第４実施形態について説明する。
【００７６】
図１３は、本実施形態の電子機器（コンテンツ送信器１）が適用される著作権保護コンテンツ転送システムの一構成例を示す図である。本実施形態では、ゲーム機としてコンテンツ送信器１が実現される例を説明する。
【００７７】
ゲーム機は、例えばゲーム用のプログラム（ゲームソフトウェア）を記憶した記憶媒体を内蔵するカートリッジを収納することにより、または、インターネット経由でゲームソフトウェアをダウンロードすることにより、様々なゲームを楽しむことができる。このゲーム機であるコンテンツ送信器１が、ゲーム用のプログラムを実行することによって得られる映像信号と音声信号とをコンテンツ受信器２に送信する機能を備えることにより、例えば、プレーヤのプレイの様子を、他者が、コンテンツ受信器２と音声再生器３とで（大画面かつ高画質、高音質で）観賞することを可能とする。
【００７８】
この（ゲーム機である）コンテンツ送信器１において、前述の第１実施形態乃至第３実施形態と同様、映像の著作権保護にＨＤＣＰ２．０を適用し、音声の著作権保護にＳＣＭＳを適用する。これにより、コンテンツ送信器１側およびコンテンツ受信器２側の双方で音声を暗号化・復号するためのモジュールを不要とし、著作権の保護が求められるゲーム（コンテンツ）の映像および音声の転送機能を低コストで実現する。
【００７９】
さらに、この（ゲーム機である）コンテンツ送信器１においても、前述の第１実施形態乃至第３実施形態と同様、ＨＤＣＰ２．０で規定されるregistration_descriptorを、ＳＣＭＳを適用する音声の著作権保護有無を示す情報としても利用する。これにより、効率化も図られることになる。
【００８０】
（第５実施形態）
次に、第５実施形態について説明する。
【００８１】
図１４は、本実施形態の電子機器（コンテンツ送信器１）が適用される著作権保護コンテンツ転送システムの一構成例を示す図である。
【００８２】
本実施形態のコンテンツ送信器１は、例えばテレビジョン放送番組データを記録・再生するＨＤＤレコーダ７に例えばＨＤＭＩケーブル８を介して接続されるアダプタとして実現される。このアダプタは、ＨＤＤレコーダ７に限らず、ＨＤＭＩ端子を有する様々な装置に接続可能である。このアダプタであるコンテンツ送信器１には、（ＨＤＭＩケーブル８を接続するための）ＨＤＣＰ１．４に沿った暗号化により著作権保護された映像信号と音声信号とがＨＤＭＩ端子から入力される。そしてコンテンツ送信機１は、この映像信号と音声信号の暗号化を復号した後、他の著作権保護を適用してコンテンツ受信器２に送信する機能を備えることにより、例えば、ユーザは、ＨＤＤレコーダ７に（映像および音声用の）無線通信機能を簡単に増設することが可能となる。
【００８３】
この（アダプタである）コンテンツ送信器１において、前述の第１実施形態乃至第４実施形態と同様、映像の著作権保護にＨＤＣＰ２．０を適用し、音声の著作権保護にＳＣＭＳを適用する。これにより、コンテンツ送信器１側およびコンテンツ受信器２側の双方で音声を暗号化・復号するためのモジュールを不要とし、著作権の保護が求められる例えばテレビジョン放送番組データ等（コンテンツ）の映像および音声の転送機能を低コストで実現する。
【００８４】
さらに、この（アダプタである）コンテンツ送信器１においても、前述の第１実施形態乃至第４実施形態と同様、ＨＤＣＰ２．０で規定されるregistration_descriptorを、ＳＣＭＳを適用する音声の著作権保護有無を示す情報としても利用する。これにより、効率化も図られることになる。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８６】
１…コンテンツ送信器、２…コンテンツ受信器、３…音声再生器、４…テレビ局、５…コンテンツサーバ、６…ＣＤＮ、７…ＨＤＤレコーダ、８…ＨＤＭＩケーブル、１１…プロセッサ、１１Ａ…メモリコントローラ、１１Ｂ…ＧＰＵ、１２…メインメモリ、１３…Ｉ／Ｏコントローラ、１３Ａ…ＩＤＥコントローラ、１３Ｂ…ＬＡＮコントローラ、１３Ｃ…無線ＬＡＮコントローラ、１３Ｄ…ＵＳＢコントローラ、１３Ｅ…サウンドコントローラ、１４…ＬＣＤ、１５…スピーカ、１６…ＢＩＯＳ−ＲＯＭ、１７…ＨＤＤ、１８…ＯＤＤ、１９…ＬＡＮコネクタ、２０…無線通信モジュール、２１…ＵＳＢコネクタ、２２…ＥＣ／ＫＢＣ、２２Ａ…キーボード、２２Ｂ…ポインティングデバイス、２３…ＰＳＣ、２４…ＨＤＭＩ通信モジュール、２５…ＴＶチューナ、２５Ａ…ＴＶコネクタ、１００…コンテンツ転送プログラム、１１０…コンテンツ読込み部、１２０…コンテンツ再生部、１２１…映像デコーダ、１２２…音声デコーダ、１３０…コンテンツエンコード部、１３１…映像エンコーダ、１３２…音声エンコーダ、１４０…暗号化モジュール、１５０…多重化モジュール、１６０…コンテンツ転送部、２００…ＴＶプログラム。
【図１】
2014022946.tif 000003
【図２】
2014022946.tif 000004
【図３】
2014022946.tif 000005
【図４】
2014022946.tif 000006
【図５】
2014022946.tif 000007
【図６】
2014022946.tif 000008
【図７】
2014022946.tif 000009
【図８】
2014022946.tif 000010
【図９】
2014022946.tif 000011
【図１０】
2014022946.tif 000012
【図１１】
2014022946.tif 000013
【図１２】
2014022946.tif 000014
【図１３】
2014022946.tif 000015
【図１４】
2014022946.tif 000016